(57)【要約】空気ばね装置（Ａ１〜Ａ４）と、蓄圧タンク（５０）と、少なくとも蓄圧タンクに対し圧縮空気を供給するコンプレッサ装置（ＣＭＰ）であって、電動モータ（１）、ポンプ装置（２）及びドライヤ（３）を有するコンプレッサ装置と、車高上昇制御、車高下降制御、吸気制御及び再生排気制御を行う制御装置（ＥＣＵ）とを備える。制御装置は、コンプレッサ装置と空気ばね装置との連通を遮断した状態でポンプ装置を駆動し、ドライヤを介して吐出される圧縮空気をポンプ装置側に供給して循環させ、当該圧縮空気の圧縮熱をドライヤ内に蓄熱する蓄熱制御を行い、ドライヤを再生する。
2017187829.tif 000002
【特許請求の範囲】
【請求項１】
車両の各車輪に装着され空気室を有する空気ばね装置と、
該空気ばね装置に圧縮空気を供給する蓄圧タンクと、
少なくとも該蓄圧タンクに対し圧縮空気を供給するコンプレッサ装置であって、駆動源たる電動モータ、該電動モータに駆動され圧縮空気を生成するポンプ装置、及び、該ポンプ装置が生成した圧縮空気を乾燥するドライヤを有するコンプレッサ装置と、
前記蓄圧タンクを前記空気ばね装置に連通して圧縮空気を前記空気室に供給する車高上昇制御、前記空気ばね装置を前記コンプレッサ装置に連通して前記空気室内の空気を前記コンプレッサ装置を介して排出する車高下降制御、前記コンプレッサ装置を前記蓄圧タンクに連通して前記蓄圧タンクに外気を供給する吸気制御、及び、前記蓄圧タンクを前記コンプレッサ装置に連通して前記蓄圧タンク内の空気を前記ドライヤを介して外部に排出する再生排気制御を行う制御装置とを備えたエアサスペンション装置のドライヤ再生方法において、
前記制御装置が、
前記コンプレッサ装置と前記空気ばね装置との連通を遮断した状態で前記ポンプ装置を駆動し、前記ドライヤを介して吐出される圧縮空気を前記ポンプ装置側に供給して循環させ、当該圧縮空気の圧縮熱を前記ドライヤ内に蓄熱する蓄熱制御を行い、前記ドライヤを再生するドライヤ再生方法。
【請求項２】
請求項１記載のエアサスペンション装置のドライヤ再生方法において、前記制御装置は、
前記再生排気制御の前であって、前記吸気制御の前又は後に前記蓄熱制御を行う。
【請求項３】
請求項１又は２記載のドエアサスペンション装置のドライヤ再生方法において、
前記コンプレッサ装置から前記蓄圧タンクに供給される前記外気の温度を検出する温度センサを備え、
前記制御装置は、少なくとも前記温度センサの検出結果に基づき前記蓄熱制御の要否を判定する。
【請求項４】
請求項３記載のエアサスペンション装置のドライヤ再生方法において、
前記コンプレッサ装置から前記蓄圧タンクに供給される前記外気の湿度を検出する湿度センサを備え、
前記制御装置は、前記湿度センサ及び前記温度センサの検出結果に基づき前記蓄熱制御の要否を判定する。
【請求項５】
請求項４記載のエアサスペンション装置のドライヤ再生方法において、
前記制御装置は、前記湿度センサ及び前記温度センサの検出結果に基づき前記蓄熱制御の継続時間を調整する。
【請求項６】
請求項１乃至５の何れか一項に記載のエアサスペンション装置のドライヤ再生方法において、
前記コンプレッサ装置は、前記ポンプ装置に大気を吸入する大気吸入ポート、前記ドライヤを介して前記ポンプ装置の圧縮空気を吐出する吐出ポート、及び、前記空気室内の空気及び前記ドライヤを介して吐出される空気を導入する背圧導入ポートを有し、
前記エアサスペンション装置は、
前記蓄圧タンクを前記空気室に連通接続する第１の流路と、
該第１の流路に介装される制御弁と、
該制御弁と前記蓄圧タンクとの間を前記背圧導入ポートに連通接続するとともに、前記吐出ポートを前記蓄圧タンクに連通接続する第２の流路とを備え、
前記制御装置が、前記制御弁を開閉制御して前記空気ばね装置への空気の給排を制御すると共に、前記第２の流路を開閉制御して前記蓄熱制御を行う。
【請求項７】
請求項６記載のエアサスペンション装置のドライヤ再生方法において、
前記エアサスペンション装置は、
前記第１の流路及び前記第２の流路によって構成され、前記ドライヤを介して吐出される空気を前記ポンプ装置側に供給して圧縮空気を循環させる循環流路と、
該循環流路を前記制御装置による制御に応じて断続する断続装置を備える。
【請求項８】
請求項７記載のエアサスペンション装置のドライヤ再生方法において、
前記断続装置は、前記循環流路を開閉する開閉弁である。
【請求項９】
請求項８記載のエアサスペンション装置のドライヤ再生方法において、
前記断続装置は更に、前記開閉弁に対して並列に配置され、前記コンプレッサ装置の吐出ポートと前記蓄圧タンクとの間に介装される３ポート２位置切換弁であって、
前記コンプレッサ装置の吐出ポートを前記蓄圧タンクに連通接続すると共に、前記蓄圧タンクと前記第１の流路との連通を遮断する第１の位置と、
前記蓄圧タンクを前記第１の流路に連通接続すると共に、前記コンプレッサ装置の吐出ポートと前記蓄圧タンクとの連通を遮断する第２の位置を有し、
前記制御装置によって前記第１及び第２の位置の何れかに切り換える３ポート２位置切換弁を備える。
【請求項１０】
請求項７記載のエアサスペンション装置のドライヤ再生方法において、
前記断続装置は、前記コンプレッサ装置の吐出ポートと前記蓄圧タンクとの間に介装される３ポート３位置切換弁であって、
前記コンプレッサ装置の吐出ポートを前記第１の流路に連通接続すると共に、前記コンプレッサ装置の吐出ポートと前記蓄圧タンクとの連通を遮断する第１の位置と、
前記コンプレッサ装置の吐出ポートを前記蓄圧タンクに連通接続すると共に、前記蓄圧タンクと前記第１の流路との連通を遮断する第２の位置と、
前記蓄圧タンクを前記第１の流路に連通接続すると共に、前記コンプレッサ装置の吐出ポートと前記蓄圧タンクとの連通を遮断する第３の位置を有し、
前記制御装置によって前記第１乃至第３の位置の何れか一つの位置に切り換える３ポート３位置切換弁である。
【請求項１１】
請求項６記載のエアサスペンション装置のドライヤ再生方法において、
前記エアサスペンション装置が、  
前記蓄圧タンクと前記制御弁との間の前記第１の流路に連通接続されると共に、前記コンプレッサ装置の吐出ポートに連通接続される第１の給排開閉弁と、
前記コンプレッサ装置の吐出ポートと前記蓄圧タンクとの間の前記第２の流路に介装される第１のタンク開閉弁と、
前記制御弁と前記蓄圧タンクとの間の前記第１の流路に介装され、前記第１の給排開閉弁及び第１のタンク開閉弁に対して並列に配設される第２の給排開閉弁及び第２のタンク開閉弁とを備え、
該第２の給排開閉弁及び第２のタンク開閉弁間が前記コンプレッサ装置の背圧導入ポートに連通接続されると共に、前記第１の給排開閉弁及び前記第１のタンク開閉弁間が前記コンプレッサ装置の吐出ポートに連通接続されており、
前記制御装置が、
前記第１及び第２のタンク開閉弁の開閉制御又は前記第１及び第２の給排開閉弁の開閉制御によって前記蓄熱制御を行い、前記ドライヤを介して前記吐出ポートから吐出される圧縮空気を、前記第２の流路を介して前記背圧導入ポートに導入して循環させ、当該圧縮空気の圧縮熱を前記ドライヤ内に蓄熱する。
【発明の詳細な説明】
【技術分野】
【０００１】
本発明は、エアサスペンション装置のドライヤ再生方法に関し、特に、車両の各車輪に装着した空気ばね手段への空気の給排を制御するエアサスペンション装置に供されるドライヤの再生方法に係る。
【背景技術】
【０００２】
所謂クローズドタイプのエアサスペンションシステムにおけるドライヤ再生方法に関し、例えば下記の特許文献１においては、吸入空気量、吸入空気の温度又は湿度に基づき再生に必要な空気量を決定する方法が開示されている。また、同特許文献１で言及された下記の特許文献２には、車高調整制御における空気室とリザーバとの間の圧縮空気の給排について種々の作動モードが開示されている。
【先行技術文献】
【特許文献】
【０００３】
【特許文献１】米国特許第８４９０９９１号明細書
【特許文献２】米国特許第６７２６１８９号明細書
【発明の概要】
【発明が解決しようとする課題】
【０００４】
一般的に、エアサスペンション装置に供されるドライヤの再生効率を向上させる一方法として、ドライヤ内の乾燥剤によって乾燥させた空気の全部又は一部を再生に利用する際、例えばオリフィスを介して減圧した状態でドライヤを通過させて乾燥剤の再生を行う、プレッシャスイング法が採用されている。また、工場等において乾燥剤を用いた脱水装置によって行われる再生方法として、再生時に高温の空気をドライヤに通過させて乾燥剤の再生を行う、サーマルスイング法が採用されている。何れの方法も独自に行われ、両者が同時に行われる蓋然性はなく、組み合わせが考慮されることもなかった。【０００５】
前述の文献に記載のようなクローズドタイプのエアサスペンションシステムにおいては、通常はシステム内の空気が循環して用いられ、空気量が不足したときのみ外気が吸入され、吸気直後に吸入空気量の一部がドライヤの再生に供されるので、万一残留水分が存在すると、ドライヤ内を空気が循環する度に、残留水分が乾燥剤側に移動し吸着されることになり、ドライヤ内の露点が高くなる傾向がある。このため、特にクローズドタイプのエアサスペンションシステムにおいては、乾燥剤の吸水率を低く抑え、ドライヤの再生効率を向上させることが肝要である。【０００６】
そこで、本発明は、エアサスペンション装置のドライヤ再生方法において、別途加熱手段等を設けることなく、ドライヤの再生効率を向上させ得るドライヤ再生方法を提供することを課題とする。
【課題を解決するための手段】
【０００７】
上記の課題を達成するため、本発明は、車両の各車輪に装着され空気室を有する空気ばね装置と、該空気ばね装置に圧縮空気を供給する蓄圧タンクと、少なくとも該蓄圧タンクに対し圧縮空気を供給するコンプレッサ装置であって、駆動源たる電動モータ、該電動モータに駆動され圧縮空気を生成するポンプ装置、及び、該ポンプ装置が生成した圧縮空気を乾燥するドライヤを有するコンプレッサ装置と、前記蓄圧タンクを前記空気ばね装置に連通して圧縮空気を前記空気室に供給する車高上昇制御、前記空気ばね装置を前記コンプレッサ装置に連通して前記空気室内の空気を前記コンプレッサ装置を介して排出する車高下降制御、前記コンプレッサ装置を前記蓄圧タンクに連通して前記蓄圧タンクに外気を供給する吸気制御、及び、前記蓄圧タンクを前記コンプレッサ装置に連通して前記蓄圧タンク内の空気を前記ドライヤを介して外部に排出する再生排気制御を行う制御装置とを備えたエアサスペンション装置のドライヤ再生方法において、前記制御装置が、前記コンプレッサ装置と前記空気ばね装置との連通を遮断した状態で前記ポンプ装置を駆動し、前記ドライヤを介して吐出される圧縮空気を前記ポンプ装置側に供給して循環させ、当該圧縮空気の圧縮熱を前記ドライヤ内に蓄熱する蓄熱制御を行い、前記ドライヤを再生するドライヤ再生方法としたものである。【０００８】
上記のドライヤ再生方法において、前記制御装置は、前記再生排気制御の前であって、前記吸気制御の前又は後に前記蓄熱制御を行うこととするとよい。そして、前記コンプレッサ装置から前記蓄圧タンクに供給される前記外気の温度を検出する温度センサを備えたものとし、前記制御装置は、少なくとも前記温度センサの検出結果に基づき前記蓄熱制御の要否を判定するものとするとよい。更に、前記コンプレッサ装置から前記蓄圧タンクに供給される前記外気の湿度を検出する湿度センサを備えたものとし、前記制御装置は、前記湿度センサ及び前記温度センサの検出結果に基づき前記蓄熱制御の要否を判定するものとするとよい。また、前記制御装置は、前記湿度センサ及び前記温度センサの検出結果に基づき前記蓄熱制御の継続時間を調整するものとしてもよい。【０００９】
上記のドライヤ再生方法において、前記コンプレッサ装置は、前記ポンプ装置に大気を吸入する大気吸入ポート、前記ドライヤを介して前記ポンプ装置の圧縮空気を吐出する吐出ポート、及び、前記空気室内の空気及び前記ドライヤを介して吐出される空気を導入する背圧導入ポートを有するものとし、前記エアサスペンション装置は、前記蓄圧タンクを前記空気室に連通接続する第１の流路と、該第１の流路に介装される制御弁と、該制御弁と前記蓄圧タンクとの間を前記背圧導入ポートに連通接続するとともに、前記吐出ポートを前記蓄圧タンクに連通接続する第２の流路とを備えたものとし、前記制御装置が、前記制御弁を開閉制御して前記空気ばね装置への空気の給排を制御すると共に、前記第２の流路を開閉制御して前記蓄熱制御を行うこととするとよい。【００１０】
そして、前記エアサスペンション装置は、前記第１の流路及び前記第２の流路によって構成され、前記ドライヤを介して吐出される空気を前記ポンプ装置側に供給して圧縮空気を循環させる循環流路と、該循環流路を前記制御装置による制御に応じて断続する断続装置を備えるものとするとよい。前記断続装置は、前記循環流路を開閉する開閉弁で構成することができる。更に、前記断続装置は、前記開閉弁に対して並列に配置され、前記コンプレッサ装置の吐出ポートと前記蓄圧タンクとの間に介装される３ポート２位置切換弁であって、前記コンプレッサ装置の吐出ポートを前記蓄圧タンクに連通接続すると共に、前記蓄圧タンクと前記第１の流路との連通を遮断する第１の位置と、前記蓄圧タンクを前記第１の流路に連通接続すると共に、前記コンプレッサ装置の吐出ポートと前記蓄圧タンクとの連通を遮断する第２の位置を有し、前記制御装置によって前記第１及び第２の位置の何れかに切り換える３ポート２位置切換弁を備えるものとしてもよい。あるいは、前記断続装置は、前記コンプレッサ装置の吐出ポートと前記蓄圧タンクとの間に介装される３ポート３位置切換弁であって、前記コンプレッサ装置の吐出ポートを前記第１の流路に連通接続すると共に、前記コンプレッサ装置の吐出ポートと前記蓄圧タンクとの連通を遮断する第１の位置と、前記コンプレッサ装置の吐出ポートを前記蓄圧タンクに連通接続すると共に、前記蓄圧タンクと前記第１の流路との連通を遮断する第２の位置と、前記蓄圧タンクを前記第１の流路に連通接続すると共に、前記コンプレッサ装置の吐出ポートと前記蓄圧タンクとの連通を遮断する第３の位置を有し、前記制御装置によって前記第１乃至第３の位置の何れか一つの位置に切り換える３ポート３位置切換弁で構成してもよい。【００１１】
あるいは、上記のドライヤ再生方法において、前記エアサスペンション装置が、  前記蓄圧タンクと前記制御弁との間の前記第１の流路に連通接続されると共に、前記コンプレッサ装置の吐出ポートに連通接続される第１の給排開閉弁と、前記コンプレッサ装置の吐出ポートと前記蓄圧タンクとの間の前記第２の流路に介装される第１のタンク開閉弁と、前記制御弁と前記蓄圧タンクとの間の前記第１の流路に介装され、前記第１の給排開閉弁及び第１のタンク開閉弁に対して並列に配設される第２の給排開閉弁及び第２のタンク開閉弁とを備えたものとし、該第２の給排開閉弁及び第２のタンク開閉弁間が前記コンプレッサ装置の背圧導入ポートに連通接続されると共に、前記第１の給排開閉弁及び前記第１のタンク開閉弁間が前記コンプレッサ装置の吐出ポートに連通接続されており、前記制御装置が、前記第１及び第２のタンク開閉弁の開閉制御又は前記第１及び第２の給排開閉弁の開閉制御によって前記蓄熱制御を行い、前記ドライヤを介して前記吐出ポートから吐出される圧縮空気を、前記第２の流路を介して前記背圧導入ポートに導入して循環させ、当該圧縮空気の圧縮熱を前記ドライヤ内に蓄熱するものとしてもよい。
【発明の効果】
【００１２】
本発明は上述のように構成されているので以下の効果を奏する。即ち、本発明は、空気ばね装置と、蓄圧タンクと、少なくとも蓄圧タンクに対し圧縮空気を供給するコンプレッサ装置であって、電動モータ、ポンプ装置及びドライヤを有するコンプレッサ装置と、車高上昇制御、車高下降制御、吸気制御及び再生排気制御を行う制御装置とを備えたエアサスペンション装置のドライヤ再生方法において、コンプレッサ装置と空気ばね装置との連通を遮断した状態でポンプ装置を駆動し、ドライヤを介して吐出される圧縮空気をポンプ装置側に供給して循環させ、当該圧縮空気の圧縮熱をドライヤ内に蓄熱する蓄熱制御を行い、ドライヤを再生することとしているので、別途加熱手段等を設けることなく、ドライヤ再生時には高温且つ低圧の空気によって再生効率を向上させることができる。【００１３】
特に、再生排気制御の前であって、吸気制御の前又は後に蓄熱制御を行うこととすれば、ドライヤの再生を円滑且つ適切に行うことができる。コンプレッサ装置から蓄圧タンクに供給される外気の温度を検出する温度センサの検出結果に基づき蓄熱制御の要否を判定することとすれば、容易にドライヤの再生効率を向上させることができる。更に、コンプレッサ装置から蓄圧タンクに供給される外気の湿度を検出する湿度センサを備えたものとし、湿度センサ及び温度センサの検出結果に基づき蓄熱制御の要否を判定することとすれば、ドライヤの再生を適切に行うことができる。また、湿度センサ及び温度センサの検出結果に基づき蓄熱制御の継続時間を調整することとすれば、簡単な構成でドライヤの再生効率を一層向上させることができる。【００１４】
上記のドライヤ再生方法において、コンプレッサ装置は、前述の大気吸入ポート、吐出ポート及び背圧導入ポートを有するものとし、エアサスペンション装置は、蓄圧タンクを空気室に連通接続する第１の流路と、第１の流路に介装される制御弁と、制御弁と蓄圧タンクとの間を背圧導入ポートに連通接続するとともに、吐出ポートを蓄圧タンクに連通接続する第２の流路とを備えたものとし、制御装置が、制御弁を開閉制御して空気ばね装置への空気の給排を制御すると共に、第２の流路を開閉制御して蓄熱制御を行うこととすれば、別途加熱手段等を設けることなく、ドライヤ再生時には高温且つ低圧の空気によって再生効率を向上させることができる。【００１５】
そして、エアサスペンション装置は、第１の流路及び第２の流路によって構成される循環流路と、この循環流路を制御装置による制御に応じて断続する断続装置を備えたものとし、例えば循環流路を開閉する開閉弁で構成すれば、簡単な構成で上記の蓄熱制御を行うことができる。更に、開閉弁に対して並列に前述の３ポート２位置切換弁を配置することとしてもよい。特に、断続装置を前述の３ポート３位置切換弁で構成すれば、気密性に優れ、再生機能が向上すると共に、起動性が向上する。【００１６】
あるいは、上記のドライヤ再生方法において、エアサスペンション装置が、前述の第１及び第２の給排開閉弁と、第１及び第２のタンク開閉弁とを備えたものとし、これらの開閉制御によって蓄熱制御を行い、ドライヤを介して吐出ポートから吐出される圧縮空気を、第２の流路を介して背圧導入ポートに導入して循環させ、当該圧縮空気の圧縮熱をドライヤ内に蓄熱することとすれば、蓄圧タンク内の圧力が低い場合でも、空気ばね装置に対し圧縮空気を効率的に供給することができると共に、蓄熱制御に供される開閉弁を適宜選択することができ、ドライヤ再生を円滑に行うことができる。
【図面の簡単な説明】
【００１７】
【図１】本発明の一実施形態に供されるエアサスペンション装置の基本構成を示すブロック図である。
【図２】本発明の一実施形態における車高上昇制御を示すブロック図である。
【図３】本発明の一実施形態における車高下降制御を示すブロック図である。
【図４】本発明の一実施形態における吸気制御を示すブロック図である。
【図５】本発明の一実施形態における蓄熱制御を示すブロック図である。
【図６】本発明の一実施形態における再生排気制御を示すブロック図である。
【図７】本発明の他の実施形態に供されるエアサスペンション装置の基本構成を示すブロック図である。
【図８】本発明の更に他の実施形態に供されるエアサスペンション装置の基本構成における蓄熱制御を示すブロック図である。
【図９】本発明の別の実施形態に供されるエアサスペンション装置の基本構成を示すブロック図である。
【図１０】本発明の別の実施形態における蓄熱制御を示すブロック図である。
【図１１】本発明の別の実施形態における吸気制御を示すブロック図である。
【図１２】本発明の別の実施形態における再生排気制御を示すブロック図である。
【図１３】本発明の別の実施形態における他の蓄熱制御を示すブロック図である。
【図１４】蓄圧タンクを備えたエアサスペンション装置の別の態様における蓄熱制御を示すブロック図である。
【図１５】参考態様のエアサスペンション装置の構成における蓄熱制御を示すブロック図である。
【図１６】本発明の一実施形態における蓄熱制御を含む蓄圧タンクの昇圧作動の一例を示すグラフである。
【図１７】本発明の一実施形態における蓄熱制御を含む蓄圧タンクの昇圧作動の他の例を示すグラフである。
【図１８】本発明の一実施形態における蓄熱制御を含む蓄圧タンクの昇圧作動の一例を示すフローチャートである。
【発明を実施するための形態】
【００１８】
以下、本発明の望ましい実施形態を図面を参照して説明する。先ず、本発明の一実施形態に供されるクローズドタイプのエアサスペンション装置の基本構成を説明する。図１において、エアサスペンション装置内の空気圧供給源として蓄圧タンク５０が配設されると共に、コンプレッサ装置ＣＭＰが図１に一点鎖線の枠内に示すように構成されている。このコンプレッサ装置ＣＭＰは、駆動源たる電動モータ１と、電動モータ１の回転運動をシリンダ内のピストンの往復運動に変換して圧縮空気を生成するポンプ装置２と、ポンプ装置２が生成した圧縮空気を乾燥して吐出するドライヤ３を備えており、排気流路には、常閉の電磁開閉弁で構成された排気開閉弁（リリーフ弁）５が介装されている。更に、コンプレッサ装置ＣＭＰ内には、吐出方向の空気の流れを許容し逆方向の流れを阻止する逆止弁４が配置されると共に、これと並列に、絞りを介して常時連通するオリフィス６が設けられている。尚、ＯＰは吐出ポート、ＢＰは背圧導入ポート、ＡＰは大気吸入ポートを表す。
【００１９】
車両の四つの車輪（右側前輪をＦＲ、左側前輪をＦＬ、右側後輪をＲＲ、左側後輪をＲＬで示し、図１では各車輪の支持部のみを表す）には夫々、空気室１１乃至１４を有する空気ばね装置Ａ１乃至Ａ４が配設され、各空気室１１乃至１４は流路Ｐ１及びＰ２を介して蓄圧タンク５０に連通接続されている。上記の流路Ｐ１及びＰ２によって第１の流路が構成され、流路Ｐ２には、各空気室１１乃至１４への空気の給排を制御する制御弁として夫々各輪開閉弁６１乃至６４が介装されている。更に、本発明の断続装置として、流路Ｐ１を開閉する開閉弁７０が介装され、各輪開閉弁６１乃至６４と開閉弁７０との間（図１の流路Ｐ１及びＰ２の接続点）が流路Ｐ３を介してコンプレッサ装置ＣＭＰの背圧導入ポートＢＰに接続されている。そして、開閉弁７０と蓄圧タンク５０との間が流路Ｐ４を介してコンプレッサ装置ＣＭＰの吐出ポートＯＰに連通接続されており、流路Ｐ３及びＰ４によって第２の流路が構成されている。
【００２０】
本実施形態においては、図１に示すように、各輪開閉弁６１乃至６４及び開閉弁７０は常閉の電磁開閉弁で構成されている（但し、何れも閉位置ではリリーフ弁を構成）。これらの各輪開閉弁６１乃至６４及び開閉弁７０が、後述するように制御装置ＥＣＵによって開閉制御されると共に、電動モータ１が駆動制御され、各車輪の空気ばね装置Ａ１乃至Ａ４が制御される。
【００２１】
コンプレッサ装置ＣＭＰにおいては、電動モータ１によってポンプ装置２が駆動されると、ドライヤ３及び逆止弁４を介して、乾燥した圧縮空気が吐出される。また、電動モータ１の非駆動時に常閉の排気開閉弁５が開位置とされ、オリフィス６及びドライヤ３を介して空気が排出されるときには、排出空気によってドライヤ３内の乾燥剤（図示せず）が再生される。蓄圧タンク５０及び流路Ｐ２には夫々、圧力センサＰＳ１及びＰＳ２が配設されており、蓄圧タンク５０内の圧力及び流路Ｐ２内の圧力を検出し、検出圧力信号を制御装置ＥＣＵに供給するように構成されている。更に、ポンプ装置２の圧縮作動により加熱された圧縮空気がドライヤ３から吐出され、流路Ｐ４、流路Ｐ１、開位置の開閉弁７０及び流路Ｐ３を介して背圧導入ポートＢＰに導入され、その圧縮熱がドライヤ３で蓄熱されるように構成されており、蓄熱制御（図５を参照して後述）を設定することができる。
【００２２】
本実施形態においては、大気吸入ポートＡＰから吸入される大気（外気）の温度の温度を検出する温度センサＴＳ、及び当該大気の湿度を検出する湿度センサＭＳを備えており、これら湿度センサＭＳ及び温度センサＴＳの検出結果に基づき、制御装置ＥＣＵにて蓄熱制御の要否が判定されるように構成されている（図１８を参照して後述）。尚、外気温等を検出する温度センサが車両に搭載されている場合には、その温度センサを上記温度センサＴＳに代えて利用することとしてもよい。また、上記蓄熱制御の要否判定では、湿度センサＭＳを省略することとしてもよいが、本実施形態においては、制御装置ＥＣＵによって、湿度センサＭＳ及び温度センサＴＳの検出結果に基づき、コンプレッサ装置ＣＭＰの吐出ポートＯＰから吐出される圧縮空気が流路Ｐ３を介して背圧導入ポートＢＰに導入される時間（即ち、蓄熱制御の継続時間）を調整し得るように構成されている。
【００２３】
以下、本実施形態のエアサスペンション装置における通常の車高調整制御を説明した後、ドライヤ３の再生排気制御等について説明する。先ず、蓄圧タンク５０内に必要な圧縮空気が十分存在する常態では、図１に示すように各開閉弁は閉位置にあって電動モータ１は非作動状態（停止状態）とされており、車高センサＨＳの検出信号やマニュアルスイッチＳＷの操作等に応じて、制御装置ＥＣＵによって以下のように開閉制御される。
【００２４】
例えば、制御装置ＥＣＵにて車高増加（上昇）指令が検出されると、以下の車高上昇制御が行われる。即ち、圧力センサＰＳ１の検出圧力が、圧力センサＰＳ２の検出圧力より大で、所定圧Ｋ１以上であれば、図２に示すように、開閉弁７０及び各輪開閉弁６１乃至６４が開位置とされ、図２に細線で示すように、蓄圧タンク５０内の圧縮空気が流路Ｐ１及びＰ２を介して空気室１１乃至１４内に供給され、空気室１１乃至１４が拡張して車高が増加（上昇）する。そして、目標の車高値に到達すると、開閉弁７０及び各輪開閉弁６１乃至６４が閉位置とされる。
【００２５】
一方、車高減少（下降）指令が検出されると、図３に示すように車高下降制御が行われる。即ち、開閉弁７０は閉位置の状態で、各輪開閉弁６１乃至６４が開位置とされると共に、電動モータ１が駆動される。これにより、図３に細線で示すように、空気室１１乃至１４内の圧縮空気は流路Ｐ２及びＰ３、ポンプ装置２、ドライヤ３、逆止弁４及び流路Ｐ４を介して蓄圧タンク５０内に供給され、空気室１１乃至１４が縮小して車高が減少（下降）すると共に、蓄圧タンク５０内で蓄圧される。そして、目標の車高値に到達すると、電動モータ１が停止されると共に、各輪開閉弁６１乃至６４が閉位置とされる。
【００２６】
そして、圧力センサＰＳ１の検出圧力が所定圧Ｋ１未満に低下すると蓄圧タンク５０内への吸気制御が行われる。即ち、図４に示すように、各輪開閉弁６１乃至６４、開閉弁７０及び排気開閉弁５が閉位置の状態で、電動モータ１が駆動されると、図４に細線で示すように、大気吸入ポートＡＰから大気が吸入され、ポンプ装置２によって生成された圧縮空気が、吐出ポートＯＰから流路Ｐ４を介して蓄圧タンク５０内に供給される。そして、圧力センサＰＳ１の検出圧力が所定圧Ｋ３（＞Ｋ１）以上となると、電動モータ１が停止され、蓄圧タンク５０は高圧保持状態に戻される。
【００２７】
上記吸気制御の前又は後において、湿度センサＭＳ及び温度センサＴＳの検出結果に基づき蓄熱制御の要否が判定され、蓄熱制御が必要と判定されると、図５に示すように、各輪開閉弁６１乃至６４及び排気開閉弁５が閉位置の状態で、制御装置ＥＣＵによって開閉弁７０が開位置とされ、流路Ｐ４、Ｐ１及びＰ３の循環流路が形成される。而して、図５に細線矢印で示すように、ドライヤ３から吐出される圧縮空気が、吐出ポートＯＰから上記の循環流路を介して背圧導入ポートＢＰに導入される。この間、ポンプ装置２の圧縮作動により加熱された圧縮空気が循環し、その圧縮熱がドライヤ３内に蓄熱される。
【００２８】
ドライヤ３内の乾燥剤（図示せず）を再生させる必要が生じた場合には、上記の蓄熱制御の後に、図６に示すように、各輪開閉弁６１乃至６４及び開閉弁７０が閉位置の状態で、制御装置ＥＣＵによって排気開閉弁５が開位置とされる。これにより、図６に細線で示すように、蓄圧タンク５０内の乾燥した空気が流路Ｐ４を介し、吐出ポートＯＰからコンプレッサ装置ＣＭＰ内に供給され、オリフィス６を介して減圧（減速）されてドライヤ３に供給され、開位置の排気開閉弁５から大気に放出され、この空気の排出時にドライヤ３内の乾燥剤（図示せず）が再生される。従って、この制御が再生排気制御と呼ばれる。
【００２９】
本実施形態においては、蓄圧タンク５０内の圧力を昇圧する作動の一環として、上記図４乃至図６で示す制御が複数回繰り返される。例えば、図１６に示すように、先ず、図４の吸気制御（図１６に一点鎖線で示す）及び図６の再生排気制御（図１６に破線で示す）の前に、例えば６０秒の間、図５の蓄熱制御（図１６に実線で示す）が行われ、二回目以降の蓄熱制御は例えば１５秒間とされ、蓄熱制御、吸気制御及び再生排気制御のサイクルが複数回行われる。この間、圧力センサＰＳ１の検出圧力が所定圧（例えば図１６に縦軸で示すように段階的に順次設定されるタンク圧）となると、次の蓄熱制御が開始する。而して、高温且つ低圧の空気によってドライヤ３内の乾燥剤（図示せず）の吸水率を低く抑えることができ、乾燥剤を効率的に再生することができる。
【００３０】
あるいは、図１７に示すように、先ず、図６の再生排気制御（図１７に破線で示す）の前であって、図４の吸気制御（図１７に一点鎖線で示す）の後に、例えば６０秒の間、図５の蓄熱制御（図１７に実線で示す）が行われ、二回目以降の蓄熱制御は例えば１５秒間とされ、吸気制御、蓄熱制御及び再生排気制御のサイクルが複数回行われるように構成してもよい。何れの場合も、二回目以降の蓄熱制御では再生時に失われた熱を補填するための蓄熱（加熱）時間で十分であるので、初回の蓄熱制御の時間より短い時間に設定されており、場合に応じて省略することとしてもよい。尚、蓄熱制御の継続時間は、上記のように任意に設定される時間のほか、温度センサＴＳ及び湿度センサＷＳの検出結果に応じて露点に基づき適宜設定することとしてもよい。あるいは、ドライヤ３内の露点を直接検出し得るように構成し、その検出結果に応じて上記蓄熱制御の要否判定及び継続時間の調整を行うように構成してもよい。
【００３１】
本実施形態における蓄圧タンク５０の昇圧作動は、制御装置ＥＣＵによって例えば図１８に示すように行われ、その制御サイクルの一環として蓄熱制御が行われる。先ず、ステップＳ１０１において、例えば温度センサＴＳの検出結果に基づき、制御開始初期の蓄熱時間（Ｔｈ１）と制御中の蓄熱時間（Ｔｈ２）が演算される。尚、蓄熱時間（Ｔｈ１）は蓄熱制御の回数（Ｎ）が所定回数（Ｎｓ）未満であるときの制御継続時間で、例えば図１６に「６０ｓｅｃ」で示す時間に相当し、蓄熱時間（Ｔｈ２）は蓄熱制御の回数（Ｎ）が所定回数（Ｎｓ）以上であるときの制御継続時間で、例えば図１６に「１５ｓｅｃ」で示す時間に相当する（従って、通常Ｔｈ１＞Ｔｈ２に設定）。次に、ステップＳ１０２において、湿度センサＭＳ及び温度センサＴＳの検出結果に基づき蓄熱制御の要否が判定され、蓄熱制御が必要と判定されるとステップＳ１０３に進み蓄熱制御が実行されるが、不要と判定されればそのままステップＳ１０８にジャンプする。
【００３２】
上記ステップＳ１０３に続いて、ステップＳ１０４において蓄熱制御の回数（Ｎ）が所定回数（Ｎｓ）と比較され、蓄熱制御の回数（Ｎ）が所定回数（Ｎｓ）未満であればステップＳ１０５に進み、制御開始後の継続時間（Ｔ）が蓄熱時間（Ｔｈ１）を越えるまで蓄熱制御が継続される。一方、蓄熱制御の回数（Ｎ）が所定回数（Ｎｓ）以上であればステップＳ１０６に進み、継続時間（Ｔ）が蓄熱時間（Ｔｈ２）を越えるまで蓄熱制御が行われ、ステップＳ１０７にて蓄熱制御が終了する。この後、ステップＳ１０８にて吸気制御（図１６の一点鎖線）又は再生排気制御（図１７の破線）が行われる。そして、ステップＳ１０９において蓄圧タンク５０内の圧力が所定の圧力に到達したか否かが判定され、未達であればステップＳ１０１乃至Ｓ１０８のサイクルが繰り返され、所定の圧力に到達し昇圧完了と判定されると昇圧制御は終了する。
【００３３】
上記実施形態における流路Ｐ１を断続する断続装置としては、図７に示すように構成することができる。即ち、図７に示すように、上記の開閉弁７０に加えて更に、開閉弁７０に対して並列に配置され、コンプレッサ装置ＣＭＰの吐出ポートＯＰと蓄圧タンク５０との間に介装される３ポート２位置切換弁８０を配設することとしてもよい。この３ポート２位置切換弁８０は、吐出ポートＯＰを蓄圧タンク５０に連通接続すると共に、蓄圧タンク５０と流路Ｐ１との連通を遮断する第１の位置（図７に示す常態位置）と、蓄圧タンク５０を流路Ｐ１に連通接続すると共に、吐出ポートＯＰと蓄圧タンク５０との連通を遮断する第２の位置を有し、制御装置ＥＣＵによって第１及び第２の位置の何れかに切り換えるように構成される。
【００３４】
図７に示す構成における蓄熱制御では、各輪開閉弁６１乃至６４及び３ポート２位置切換弁８０は図７に示す状態で、開閉弁７０が開位置とされる。これにより、吐出ポートＯＰから流路Ｐ４、開位置の開閉弁７０、流路Ｐ１及び流路Ｐ３を介して背圧導入ポートＢＰに至る循環流路が構成される。而して、ポンプ装置２の圧縮作動により加熱された圧縮空気がドライヤ３を介して吐出ポートＯＰから吐出され、上記循環流路を介して背圧導入ポートＢＰに導入され、その圧縮空気の圧縮熱がドライヤ３内に蓄熱される。
【００３５】
あるいは、上記の断続装置として図８に示すように構成することもできる。即ち、図８に示すように、コンプレッサ装置ＣＭＰの吐出ポートＯＰと蓄圧タンク５０との間に介装される３ポート３位置切換弁９０を配設することとしてもよい。この３ポート３位置切換弁９０は、吐出ポートＯＰを流路Ｐ１に連通接続すると共に、吐出ポートＯＰと蓄圧タンク５０との連通を遮断する第１の位置（図８に示す常態位置）と、吐出ポートＯＰを蓄圧タンク５０に連通接続すると共に、蓄圧タンク５０と流路Ｐ１との連通を遮断する第２の位置と、蓄圧タンク５０を流路Ｐ１に連通接続すると共に、吐出ポートＯＰと蓄圧タンク５０との連通を遮断する第３の位置を有し、制御装置ＥＣＵによって第１乃至第３の位置の何れか一つの位置に切り換えるように構成される。
【００３６】
図８に示す構成における蓄熱制御では、吐出ポートＯＰから流路Ｐ４、図８に示す常態位置の切換弁９０、流路Ｐ１及び流路Ｐ３を介して背圧導入ポートＢＰに至る循環流路が構成される。而して、ポンプ装置２の圧縮作動により加熱された圧縮空気が、図８に細線矢印で示すように、ドライヤ３を介して吐出ポートＯＰから吐出され、上記循環流路を介して背圧導入ポートＢＰに導入され、その圧縮空気の圧縮熱がドライヤ３内に蓄熱される。特に、図８に示す構成において、３ポート３位置切換弁９０が第１の位置（常態位置）にあるときには、各制御停止時に蓄圧タンク５０が流路Ｐ１に対し遮断された状態となるので、良好な気密性を確保することができる。また、蓄熱制御時にも蓄圧タンク５０は遮断された状態となるので、水分を含む空気が蓄圧タンク５０内に流入するおそれはなく、再生機能が向上する。更に、蓄圧タンク５０内の圧力がコンプレッサ装置ＣＭＰに加わらず、背圧導入ポートＢＰと吐出ポートＯＰが同圧になるので、停止時の振動を抑えることができると共に、起動性が向上する。尚、図７及び図８におけるその他の構成は前述の図１に示したものと同様であり、実質的に同一の構成については同じ符号を付して説明を省略する。
【００３７】
次に、図９乃至図１３は本発明の別の実施形態に係るもので、その基本構成は図１に示す実施形態と同様であるが、本実施形態においては、図９に示すように、開閉弁７１が、蓄圧タンク５０と各輪開閉弁６１乃至６４との間の流路Ｐ２（第１の流路）に連通接続されると共に、コンプレッサ装置ＣＭＰの吐出ポートＯＰに連通接続されている。また、吐出ポートＯＰと蓄圧タンク５０との間の流路Ｐ４（第２の流路）に開閉弁８１が介装されている。更に、開閉弁７２及び開閉弁８２が、各輪開閉弁６１乃至６４と蓄圧タンク５０との間の流路Ｐ１（第１の流路）に介装され、開閉弁７１及び開閉弁８１に対して並列に配設されている。そして、開閉弁７２及び開閉弁８２間がコンプレッサ装置ＣＭＰの背圧導入ポートＢＰに連通接続されると共に、開閉弁７１及び開閉弁８１間がコンプレッサ装置ＣＭＰの吐出ポートＯＰに連通接続されている。而して、ポンプ装置２の圧縮作動により加熱された圧縮空気がドライヤ３を介して吐出ポートＯＰから吐出され、流路Ｐ４及びＰ３（第２の流路）を介して背圧導入ポートＢＰに導入され、その圧縮空気の圧縮熱がドライヤ３内に蓄熱される。尚、このときの制御装置ＥＣＵによる開閉弁７１、７２及び開閉弁８１、８２の制御については図１０及び図１３を参照して後述する。
【００３８】
上記の開閉弁７１及び７２は夫々第１及び第２の給排開閉弁を構成し、開閉弁８１及び８２は夫々第１及び第２のタンク開閉弁を構成しており、この実施形態は、後述するように、蓄圧タンク５０内の圧力が空気室１１乃至１４内の圧力より小であるときに有効に機能する。各輪開閉弁６１乃至６４、開閉弁７１、７２並びに開閉弁８１、８２は常閉の電磁開閉弁で構成されており（但し、何れも閉位置ではリリーフ弁を構成）、後述するように制御装置ＥＣＵによって開閉制御されると共に、電動モータ１が駆動制御され、各車輪の空気ばね装置Ａ１乃至Ａ４が制御されるように構成されているが、コンプレッサ装置ＣＭＰ等の構成は前述と同様であり、実質的に同一の構成については同じ符号を付して説明を省略する。
【００３９】
以下、図９に示す実施形態のエアサスペンション装置における通常の車高調整制御を説明した後、ドライヤ３の再生制御について説明する。先ず、蓄圧タンク５０内に必要な圧縮空気が十分存在する常態では、図９に示すように各開閉弁は閉位置にあって電動モータ１は非作動状態（停止状態）とされている。例えば、制御装置ＥＣＵにて車高増加（上昇）指令が検出されると、圧力センサＰＳ１の検出圧力が所定圧Ｋ１以上であれば、開閉弁７２、開閉弁８２及び各輪開閉弁６１乃至６４が開位置とされ、蓄圧タンク５０内の圧縮空気が流路Ｐ１及びＰ２を介して空気室１１乃至１４内に供給され、空気室１１乃至１４が拡張して車高が増加（上昇）する。そして、目標の車高値に到達すると、開閉弁７２、開閉弁８２及び各輪開閉弁６１乃至６４が閉位置とされる。
【００４０】
蓄圧タンク５０内の圧力が空気室１１乃至１４内の圧力を下回り、例えば圧力センサＰＳ１の検出圧力が所定圧Ｋ２（＜Ｋ１）未満となると、制御装置ＥＣＵによって、開閉弁７１及び開閉弁８２が開位置とされると共に電動モータ１が駆動される。そして、目標の車高値に到達するまで、蓄圧タンク５０内の圧縮空気が開位置の開閉弁８２及び流路Ｐ３を介してコンプレッサ装置ＣＭＰの背圧導入ポートＢＰに導入され、吐出ポートＯＰから流路Ｐ４及びＰ２、開位置の開閉弁７１並びに開位置の各輪開閉弁６１乃至６４を介して空気室１１乃至１４に圧縮空気が供給される。このように、コンプレッサ装置ＣＭＰから直接空気室１１乃至１４に圧縮空気が供給されると共に、その導入空気は蓄圧タンク５０から供給される。従って、吐出ポートＯＰから吐出される圧縮空気と背圧導入ポートＢＰに導入される空気との圧力差が、外気の大気圧との圧力差に比し極めて小さく、コンプレッサ装置ＣＭＰの負荷が少ないので、効率的に圧縮空気を空気室１１乃至１４に供給することができる。
【００４１】
一方、図９に示す状態で、車高減少（下降）指令が検出されると、各輪開閉弁６１乃至６４、開閉弁７２及び開閉弁８１が開位置とされると共に、電動モータ１が駆動される。これにより、空気室１１乃至１４内の圧縮空気は流路Ｐ２、開位置の開閉弁７２、流路Ｐ３、ポンプ装置２、ドライヤ３、逆止弁４、流路Ｐ４及び開位置の開閉弁８１を介して蓄圧タンク５０内に供給され、空気室１１乃至１４が縮小して車高が減少（下降）すると共に、蓄圧タンク５０内で蓄圧される。そして、目標の車高値に到達すると、電動モータ１が停止されると共に、各輪開閉弁６１乃至６４、開閉弁７２及び開閉弁８１が閉位置とされる。
【００４２】
上記の車高調整制御等とは無関係に、ドライヤ３内の乾燥剤（図示せず）を再生させる必要が生じた場合には、開閉弁８１及び排気開閉弁５が開位置とされ、オリフィス６及びドライヤ３を介して蓄圧タンク５０内の乾燥した空気が排出され、この空気の排出時にドライヤ３内の乾燥剤（図示せず）が再生されるが、この再生排気制御については図１２を参照して後述する。この後、排気開閉弁５は閉位置に戻され、電動モータ１が駆動されると、大気吸入ポートＡＰから大気が吸入され、ポンプ装置２によって生成された圧縮空気が、吐出ポートＯＰから開位置の開閉弁８１を介して蓄圧タンク５０内に供給される。そして、圧力センサＰＳ１の検出圧力が所定圧Ｋ３（＞Ｋ１）以上となると、開閉弁８１が閉位置とされると共に電動モータ１が停止され、蓄圧タンク５０は高圧保持状態に戻される。
【００４３】
次に、図１０乃至図１２を参照して、制御装置ＥＣＵによるポンプ装置２の駆動制御、並びに開閉弁８１、８２の開閉制御に応じて行われる蓄熱制御、吸気制御及び再生排気制御について説明する。図１０は、前述の実施形態と同様の蓄熱制御を示すもので、ポンプ装置２の圧縮作動により加熱された圧縮空気がドライヤ３を介して吐出ポートＯＰから吐出され、図１０に細線矢印で示すように、制御装置ＥＣＵによって開位置とされた開閉弁８１、８２、及び流路Ｐ４及びＰ３（第２の流路）を介して背圧導入ポートＢＰに導入され、その圧縮空気の圧縮熱がドライヤ３内に蓄熱される。
【００４４】
図１１は本実施形態における吸気制御を示すもので、制御装置ＥＣＵによって開閉弁８１が開位置とされると共に電動モータ１が駆動され（開閉弁８２等は閉位置の状態）、大気吸入ポートＡＰから吸入された空気がポンプ装置２によって圧縮され、ドライヤ３及び逆止弁４を介して吐出ポートＯＰから圧縮空気が吐出され、開位置の開閉弁８１を介して蓄圧タンク５０内に圧縮空気が供給される。これにより圧力センサＰＳ１の検出圧力が所定圧（例えば図１６に縦軸で示すように段階的に順次設定されるタンク圧）となると、開閉弁８１が閉位置とされ、電動モータ１の駆動が停止される。
【００４５】
図１２は再生排気制御を示すもので、制御装置ＥＣＵによって開閉弁８１及び排気開閉弁５が開位置とされ、蓄圧タンク５０内の圧縮空気が開閉弁８１及び流路Ｐ４を介し、吐出ポートＯＰからコンプレッサ装置ＣＭＰ内に供給され、オリフィス６を介して減圧されてドライヤ３に供給され、ドライヤ３を介して（乾燥剤（図示せず）の再生が行われ）開位置の排気開閉弁５から大気に放出され、圧力センサＰＳ１の検出圧力が所定圧（例えば図１６に縦軸で示すように段階的に順次設定されるタンク圧）となると、開閉弁８１が閉位置とされる。尚、本実施形態においても、前述の実施形態と同様、上記図１０乃至図１２で示す各制御が図１６又は図１７に示すように複数回繰り返されるが、重複するので説明を省略する（但し、この態様における蓄熱制御は図１０に示し、吸気制御は図１１に示し、再生排気制御は図１２に示す）。
【００４６】
図１３は蓄熱制御の他の態様を示すもので、図１０における開閉弁８１、８２の開閉制御に代えて、制御装置ＥＣＵによって開閉弁７１、７２の開閉制御が行われる。この蓄熱制御では、ポンプ装置２の圧縮作動により加熱された圧縮空気は、ドライヤ３を介して吐出ポートＯＰから吐出され、図１３に細線矢印で示すように、開位置の開閉弁７１、７２並びに流路Ｐ３及びＰ４（第２の流路）を介して背圧導入ポートＢＰに導入され、その圧縮空気の圧縮熱がドライヤ３内に蓄熱される。このように、図９に示す実施形態においては、図１０又は図１３に示すように蓄熱制御を行うことができる。
【００４７】
図１４は、蓄圧タンク５０を備えたエアサスペンション装置の別の態様における蓄熱制御を示すもので、コンプレッサ装置ＣＭＰは、大気（外気）を吸入する大気吸入ポートＡＰ、ドライヤ３を介して圧縮空気を吐出する吐出ポートＯＰ、及び、空気室１１乃至１４内の空気を導入する背圧導入ポートＢＰを有し、吐出ポートＯＰを流路Ｐ４（及び流路Ｐ２）を介して各輪開閉弁６１乃至６４に連通接続されると共に、流路Ｐ３を介して背圧導入ポートＢＰに連通接続されるように構成され、蓄圧タンク５０が流路Ｐ１（及び流路Ｐ２）を介して各輪開閉弁６１乃至６４に連通接続されるように構成されている。更に、流路Ｐ３に介装される常閉の開閉弁１００（図１４では蓄熱制御時の開位置を示している）と、流路Ｐ１に介装される常閉の開閉弁１１０を備え、制御装置ＥＣＵによって、各輪開閉弁６１乃至６４並びに開閉弁１００及び１１０が開閉制御され、空気ばね装置Ａ１乃至Ａ４への空気の給排を制御すると共に、前述と同様の蓄熱制御を行うように構成されている。而して、制御装置ＥＣＵの制御に応じて、ポンプ装置２の圧縮作動により加熱された圧縮空気は、ドライヤ３を介して吐出ポートＯＰから吐出され、図１４に細線矢印で示すように、開位置の開閉弁１００及び流路Ｐ３を介して背圧導入ポートＢＰに導入され、その圧縮空気の圧縮熱がドライヤ３内に蓄熱される。
【００４８】
図１５は参考態様として、上記の蓄圧タンク５０が設けられていないオープンタイプのエアサスペンション装置における蓄熱制御を示すもので、この態様においては、前述と同様に循環流路を構成する流路Ｐ３が設けられると共に、この流路Ｐ３に常閉の開閉弁１００が介装されている。而して、この態様の蓄熱制御においても、制御装置ＥＣＵによって開閉弁１００が開位置とされると、図１５に細線で示すように、ポンプ装置２の圧縮作動により加熱された圧縮空気は、ドライヤ３を介して吐出ポートＯＰから吐出され、開位置の開閉弁１００及び流路Ｐ３を介して背圧導入ポートＢＰに導入され、その圧縮空気の圧縮熱がドライヤ３内に蓄熱される。
【符号の説明】
【００４９】
Ａ１〜Ａ４  空気ばね装置
ＣＭＰ  コンプレッサ装置
ＡＰ  大気吸入ポート
ＢＰ  背圧導入ポート
ＯＰ  吐出ポート
Ｐ１、Ｐ２  流路（第１の流路）
Ｐ３、Ｐ４  流路（第２の流路）
１  電動モータ
２  ポンプ装置
３  ドライヤ
４  逆止弁
５  排気開閉弁
１１〜１４  空気室
５０  蓄圧タンク
６１〜６４  各輪開閉弁（制御弁）
７０  開閉弁（断続装置）
７１  開閉弁（第１の給排開閉弁）
７２  開閉弁（第２の給排開閉弁）
８１  開閉弁（第１のタンク開閉弁）
８２  開閉弁（第２のタンク開閉弁）
８０  ３ポート２位置切換弁（断続装置）
９０  ３ポート３位置切換弁（断続装置）
１００  開閉弁（断続装置）
【図１】
2017187829.tif 000003
【図２】
2017187829.tif 000004
【図３】
2017187829.tif 000005
【図４】
2017187829.tif 000006
【図５】
2017187829.tif 000007
【図６】
2017187829.tif 000008
【図７】
2017187829.tif 000009
【図８】
2017187829.tif 000010
【図９】
2017187829.tif 000011
【図１０】
2017187829.tif 000012
【図１１】
2017187829.tif 000013
【図１２】
2017187829.tif 000014
【図１３】
2017187829.tif 000015
【図１４】
2017187829.tif 000016
【図１５】
2017187829.tif 000017
【図１６】
2017187829.tif 000018
【図１７】
2017187829.tif 000019
【図１８】
2017187829.tif 000020
【国際調査報告】
2017187829.tif 000021
2017187829.tif 000022
2017187829.tif 000023
2017187829.tif 000024